(57)【要約】【課題】シューズ用ソール構造において、足の踵部におけるクッション性および安定性を保ちながら、各動作に応じて足の踵部を起点として体重移動をスムーズに行い得るようにする。【解決手段】ソール構造１は、第１突起部２１の傾斜面２１ａとソール部５における第１貫通孔７の踵側の壁部との間に設けられた踵側間隙２３により、第１突起部２１が第１貫通孔７内で指先側に向かう方向に比べ踵部側に向かう方向に変形しやすくなるように構成されている。【選択図】図５
2017170065.tif 000002
【特許請求の範囲】
【請求項１】
人体の足の踵部を支持し、足外甲側に第１貫通孔が上下方向に貫通するように形成されたソール部と、
前記ソール部の上側に設けられ、基台部と、該基台部の下面に突設され、前記ソール部の第１貫通孔に挿通された第１突起部とを有する突起体と、を備え、
前記第１貫通孔の踵側の壁部と、該第１貫通孔に挿通された前記第１突起部の後部との間には踵側間隙が形成されており、
前記第１突起部は、前記踵側間隙により、指先側に向かう方向に比べ踵部側に向かう方向に変形しやすくなるように構成されている、シューズ用ソール構造。
【請求項２】
請求項１に記載のシューズ用ソール構造において、
前記第１突起部の後部には、下側に向かって指先側に向かうように傾斜した傾斜面が形成されていて、該傾斜面と前記第１貫通孔の踵側の壁部との間に前記踵側間隙が設けられている、シューズ用ソール構造。
【請求項３】
請求項１または２に記載のシューズ用ソール構造において、
複数の前記第１貫通孔が前後方向に間隔をあけて並設されており、
複数の前記第１突起部がそれぞれ前記第１貫通孔に挿通されている、シューズ用ソール構造。
【請求項４】
請求項１〜３のいずれか１項に記載のシューズ用ソール構造において、
前記第１突起部は、下端部が前記ソール部下面よりも下方に突出している、シューズ用ソール構造。
【請求項５】
請求項１〜４のいずれか１項に記載のシューズ用ソール構造において、
前記第１貫通孔および前記第１突起部は、左右方向に延びている、シューズ用ソール構造。
【請求項６】
請求項１〜５のいずれか１項に記載のシューズ用ソール構造において、
前記ソール部は、足内甲側に第２貫通孔が形成されており、
前記突起体は、前記第２貫通孔に挿通された第２突起部を有し、
前記第２貫通孔の足内甲側の壁部と、該第２貫通孔に挿通された前記第２突起部の足内甲側の側部との間には内甲側間隙が形成されており、
前記第２突起部は、前記内甲側間隙により、足外甲側に向かう方向に比べ足内甲側に向かう方向に変形しやすくなるように構成されている、シューズ用ソール構造。
【請求項７】
請求項６に記載のシューズ用ソール構造において、
前記第２突起部は、下端部が前記ソール部下面よりも下方に突出している、シューズ用ソール構造。
【請求項８】
請求項１〜７のいずれか１項に記載のシューズ用ソール構造を備える、シューズ。
【発明の詳細な説明】
【技術分野】
【０００１】
本発明は、シューズ用ソール構造およびそれを用いたシューズに関するものである。
【背景技術】
【０００２】
従来から、例えばバレーボール、ハンドボール、バスケットボールなどのインドア用のスポーツシューズとして、例えば特許文献１のようなシューズが知られている。
【０００３】
特許文献１にはスポーツシューズのソール組立体が開示され、このソール組立体は、上層、中層および下層の３層から構成されており、上層および下層が軟質弾性部材で形成され、上層および下層の間に挟持される中層は、上層および下層よりも硬度が高い合成ゴム製または合成樹脂製のシートから構成されており、このシートは接地面側に突出する複数の突起を有し、下層は上下方向に延びる複数の貫通孔を有しており、これらの貫通孔に各突起が嵌入されている。そして、この突起は先端に向かうにしたがい徐々に小径となる円錐台形状を有しており、各突起の外周面と各貫通孔との間に隙間が形成されている。
【先行技術文献】
【特許文献】
【０００４】
【特許文献１】特開２００３−５２４０４号公報
【発明の概要】
【発明が解決しようとする課題】
【０００５】
ところで、バレーボール、ハンドボール、バスケットボールなどのインドアスポーツに用いられる用途のスポーツシューズでは、近年、スポーツ選手におけるプレースタイルのハイスピード化を実現するために、特に足の踵部のクッション性と安定性を維持しつつ、足の踵部を起点としてスムーズに体重移動が可能な機能が求められている。具体的には、シューズを履いた使用者が運動中において、例えば前方にダッシュする動作、後方向に急停止する動作、左方向（右方向）に方向転換する動作など、足の踵部を起点として次の動作に素早く移ることができるようなシューズが求められている。
【０００６】
しかしながら、特許文献１のシューズでは、各突起の外周面と各貫通孔との間に周方向全体に亘り隙間が形成されており、全方向において各突起が各貫通孔内で変形しやすくなっている。このため、特許文献１のシューズを履いた使用者が例えば後方向に急停止しようとする場合において、接地の際に各突起が床面からの反力を受けることにより、各突起が各貫通孔内の指先側（前方）に向かう方向に弾性変形して必要以上にグリップ力が発生してしまう結果、急停止したときの使用者の感覚と実際の急停止のタイミングとの間にズレが生じ、使用者が次の動作に素早く移ることが困難になる場合があった。すなわち、特許文献１のシューズでは、前後方向における使用者の動作に応じてスムーズに体重移動を行わせることが困難な場合があった。
【０００７】
本発明は斯かる点に鑑みてなされたものであり、その目的は、シューズ用ソール構造に改良を加えることにより、足の踵部におけるクッション性および安定性を保ちながら、前後方向における使用者の動作に応じて足の踵部を起点として体重移動をスムーズに行い得るようにすることにある。
【課題を解決するための手段】
【０００８】
上記の目的を達成するために、本発明の第１の形態は、人体の足の踵部を支持し、足外甲側に第１貫通孔が上下方向に貫通するように形成されたソール部と、ソール部の上側に設けられ、基台部と、該基台部の下面に突設され、ソール部の第１貫通孔にそれぞれ挿通された第１突起部とを有する突起体と、を備えている。また、第１貫通孔の踵側の壁部と、第１貫通孔に挿通された第１突起部の後部との間には踵側間隙が形成されている。そして、第１突起部は、踵側間隙により、指先側に向かう方向に比べ踵部側に向かう方向に変形しやすくなるように構成されていることを特徴とする。
【０００９】
この第１の形態では、第１突起部の後部と第１貫通孔の踵側の壁部との間に設けられた踵側間隙により、第１突起部が指先側に向かう方向に比べ踵部側に向かう方向に変形しやすいため、シューズを履いた使用者が例えばバレーボールやハンドボールなどの運動中に足を床に踏み込んで前方にダッシュしようとする場合において、足を床に踏み込んだ際に第１突起部がソール部の第１貫通孔内で踵部側にスムーズに変形することで第１突起部に弾性エネルギーが蓄えられ、ダッシュ時の体重移動に伴い第１突起部に蓄えられた弾性エネルギーが放出されるようになる結果、前方へのダッシュ力を高めることが可能となる。これとは逆に、この構造では、第１突起部が指先側に変形しにくいことから、ソール部の第１貫通孔内で指先側に向かう第１突起部の変形量が抑制される。これにより、シューズを履いた使用者が例えば後方向に急停止する場合において、急停止したときの使用者の感覚と実際の急停止のタイミングとの間にズレが生じるのを抑制することができるので、使用者は次の動作に素早く移ることが可能となる。
【００１０】
このように、第１の形態に係るシューズのソール構造では、ソール部により足の踵部におけるクッション性および安定性を保ちながら、第１突起部により前後方向における使用者の動作に応じて足の踵部を起点として体重移動をスムーズにすることができる。
【００１１】
第２の形態は、第１の形態において、第１突起部の後部には、下側に向かって指先側に向かうように傾斜した傾斜面が形成されていて、該傾斜面と第１貫通孔の踵側の壁部との間に踵側間隙が設けられていることを特徴とする。
【００１２】
この第２の形態では、第１突起部の後部に傾斜面を形成することにより、簡易な構成で第１貫通孔の踵側の壁部との間に踵側間隙を設けることができる。
【００１３】
第３の形態は、第１または第２の形態において、複数の第１貫通孔が前後方向に間隔をあけて並設されており、複数の第１突起部がそれぞれ第１貫通孔に挿通されていることを特徴とする。
【００１４】
この第３の形態では、複数の第１貫通孔が前後方向に間隔をあけて並設されており、複数の第１突起部が第１貫通孔にそれぞれ挿通されていることから、足全体の床に対する前方向へのグリップ力をより一層高めることができる。
【００１５】
第４の形態は、第１〜第３のいずれか１つの形態において、第１突起部は、下端部がソール部下面よりも下方に突出していることを特徴とする。
【００１６】
この第４の形態では、第１突起部が第１貫通孔に挿通された状態で、下端部がソール部下面よりも下方に突出していることから、足全体の床に対するグリップ力をより一層高めることができる。
【００１７】
第５の形態は、第１〜第４のいずれか１つに形態において、第１貫通孔および第１突起部は、左右方向に延びていることを特徴とする。
【００１８】
この第５の形態では、第１貫通孔および第１突起部は、左右方向に延びるように形成されていることから、足全体の床に対する前方向へのグリップ力をより一層高めることができる。
【００１９】
第６の形態は、第１〜第５のいずれか１つに形態において、ソール部は、足内甲側に第２貫通孔が形成されており、突起体は、第２貫通孔に挿通された第２突起部を有し、第２貫通孔の足内甲側の壁部と、第２貫通孔に挿通された第２突起部の足内甲側の側部との間には内甲側間隙が形成されており、第２突起部は、内甲側間隙により、足外甲側に向かう方向に比べ足内甲側に向かう方向に変形しやすくなるように構成されていることを特徴とする。
【００２０】
この第６の形態では、足を床に踏み込んで左右いずれかの方向にダッシュしようとする場合において、足を床に踏み込んだ際に第２突起部がソール部の第２貫通孔内で足内甲側にスムーズに変形することで第２突起部に弾性エネルギーが蓄えられ、ダッシュ時の体重移動に伴って第２突起部に蓄えられた弾性エネルギーが放出されるようになる結果、左右いずれかの方向へのダッシュ力を高めることが可能となる。これとは逆に、この構造では、第２突起部が足外甲側に変形しにくいことから、ソール部の第２貫通孔内で足外甲側に向かう各第２突起部の変形量が抑制される。これにより、シューズを履いた使用者が例えば左右方向に急停止する場合において、急停止したときの使用者の感覚と実際の急停止のタイミングとの間にズレが生じるのを抑制することができるので、使用者は次の動作に素早く移ることが可能となる。
【００２１】
第７の形態は、第６の形態において、第２突起部は、下端部が前記ソール部下面よりも下方に突出していることを特徴とする。
【００２２】
第７の形態では、第２突起部が第２貫通孔に挿通された状態で、下端部がソール部下面よりも下方に突出していることから、足全体の床に対するグリップ力をより一層高めることができる。
【００２３】
第８の形態は、第１〜第７の形態のいずれか１つのシューズ用ソール構造を備える、シューズである。
【００２４】
この第８の形態では、上記第１〜第７の形態と同様の作用効果を奏するシューズを得ることができる。
【発明の効果】
【００２５】
以上説明したように、本発明によると、踵側間隙により第１突起部がソール部の第１貫通孔内で踵部側に変形しやすくなり、前方へのダッシュ力を高めることが可能となる一方、第１突起部が指先側に変形しにくいため、シューズを履いた使用者が例えば後方向に急停止する場合において、急停止したときの使用者の感覚と実際の急停止のタイミングとの間にズレが生じるのを抑制することができ、使用者は次の動作に素早く移ることが可能となる。このように、本発明に係るシューズ用ソール構造では、ソール部により足の踵部におけるクッション性を保ちながら、第１突起部により前後方向における使用者の動作に応じて足の踵部を起点として体重移動をスムーズにすることができる。
【図面の簡単な説明】
【００２６】
【図１】図１は、本発明の実施形態に係るシューズを下方から見て示す斜視図である。
【図２】図２は、ソール構造の分解斜視図である。
【図３】図３は、ソール構造における踵部側を拡大して示す底面図である。
【図４】図４は、ソール部の底面図である。
【図５】図５は、図３のV−V線断面図である。
【図６】図６は、図３のVI−VI線断面図である。
【発明を実施するための形態】
【００２７】
以下、本発明の実施形態を図面に基づいて詳細に説明する。以下の実施形態の説明は、本質的に例示に過ぎず、本発明、その適用物或いはその用途を制限することを意図するものではない。
【００２８】
図１〜図６は、本発明の実施形態に係るシューズＳを示し、このシューズＳは、例えばバレーボール、ハンドボール、バスケットボールなどのインドア用のスポーツシューズとして使用される。ここで、シューズＳは、左足用のシューズのみを例示している。右足用のシューズは、左足用シューズＳと左右対称になるように構成されているので、以下の説明では左足用シューズＳのみについて説明し、右足用シューズの説明は省略する。また、以下の説明において、上方（上側）および下方（下側）とはシューズＳの上下方向の位置関係を表し、前方（前側）および後方（後側）とはシューズＳの前後方向の位置関係を表し、左側および右側とはシューズＳの左右方向の位置関係を表すものとする。
【００２９】
図１〜図３に示すように、シューズＳにはソール構造１が設けられており、このソール構造１は、アウトソール部２、ミッドソール部３、波形プレート４、ソール部５、および突起体１１を主たる要素部材として備えている。以下、各部材について詳細に説明する。
【００３０】
（アウトソール部）
アウトソール部２は、人体の足の土踏まず部分から指先側に至る範囲に設けられており、その下部には路面に接地する接地面２ａが形成されている。このアウトソール部２は、後述するミッドソール部３よりも高硬度の硬質弾性部材で構成されており、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。また、アウトソール部２の前端側には、指先部分を保護するガード部２ｂが取り付けられている。
【００３１】
（ミッドソール部）
ミッドソール部３は、人体の足の指先側から踵部後側までの足裏面を支持するためのものである。具体的に、ミッドソール部３の上部は、人体の足の指先側から踵部後側までの足裏面を支持する足裏支持面３ａが前後方向に延びるように形成されている。そして、ミッドソール部３は、その下部が接着剤などによってアウトソール部２の上部に固着され、上方に使用者の足を覆うアッパーＡ（甲被部）が設けられている。このミッドソール部３は、軟質の弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。
【００３２】
（波形プレート）
波形プレート４は、人体の足の土踏まず部分から踵部後側に至る範囲において側面視で上下に波打つように湾曲形成されており、その上部が接着剤などによってミッドソール部３の下部に固着されている。波形プレート４は、好ましくは硬質弾性部材から構成されており、具体的には、熱可塑性ポリウレタン（ＴＰＵ）やポリアミドエラストマー（ＰＡＥ）、ＡＢＳ樹脂等の熱可塑性樹脂、またはエポキシ樹脂等や不飽和ポリエステル樹脂等の熱硬化性樹脂から構成されている。なお、炭素繊維やアラミド繊維、ガラス繊維等を強化用繊維とし、熱硬化性樹脂や熱可塑性樹脂をマトリックス樹脂とした繊維強化プラスチック（ＦＲＰ）から構成するようにしてもよい。
【００３３】
この波形プレート４により、特に踵部におけるミッドソール部３の足裏支持面３ａに鉛直上下方向の衝撃が生じてもミッドソール部３が局所的に大きく変形することがなく、歩行時または走行時における人体の足首が内側方向または外側方向に向かって過度に倒れ込むような状態を抑制して、より優れた安定性を保つことが可能となる。
【００３４】
（ソール部）
次に、ソール部５は、主に人体の足の踵部を支持するためのものであり、その上部が接着剤などにより波形プレート４の下部に固着されている。このソール部５は、例えばＥＶＡ（エチレンビニルアルコール樹脂）樹脂発泡体またはＥＶＡラバー材からなり、クッション性を保ちながら足の踵部を安定的に支持することが可能となる。なお、ソール部５の材質については、耐磨耗性という観点からＥＶＡラバー材の方がＥＶＡ樹脂発泡体よりも好ましい。
【００３５】
図４に示すように、このソール部５は、踵部の足外甲側を支持する外甲側支持部６と、踵部の足内甲側を支持する内甲側支持部８とを有している。外甲側支持部６および内甲側支持部８の各々は、前後方向において前部６ａ，８ａおよび後部６ｂ，８ｂにそれぞれ分けられており、前部６ａ，８ａの後端部分と後部６ｂ，８ｂの前端部分とが連結部１０，１０により互いに連結された状態で前後方向に延びている。そして、外甲側支持部６および内甲側支持部８は、前側および後側にそれぞれ配置された連結部１０，１０により互いに連結されている。
【００３６】
外甲側支持部６には、上下方向に貫通形成された複数の第１貫通孔７，７，…が前後方向に所定の間隔をあけて並設されている。具体的に、外甲側支持部６の前部６ａには、２つの第１貫通孔７，７が前後方向に所定の間隔をあけて並設されており、足先側の第１貫通孔７が底面視で足先側に向かって先細る略三角形状に形成されている一方、踵部側の第１貫通孔７が底面視で左右方向に延びる略矩形状に形成されている。また、外甲側支持部６の後部６ｂには、３つの第１貫通孔７，７，…が前後方向に所定の間隔をあけて並設されており、各第１貫通孔７は底面視で左右方向に延びる略矩形状に形成されている。
【００３７】
また、内甲側支持部８には、上下方向に貫通形成された複数の第２貫通孔９，９，…が前後方向に所定の間隔をあけて並設されている。具体的に、内甲側支持部８の前部８ａには、２つの第１貫通孔７，７が前後方向に所定の間隔をあけて並設されており、いずれも底面視で前後方向に延びる略矩形状に形成されている。また、内甲側支持部８の後部８ｂには、前後方向に延びる略矩形状の第２貫通孔９が１つだけ設けられている。
【００３８】
（突起体）
図２に示すように、突起体１１は、前記ソール部５の外甲側支持部６および内甲側支持部８の上側に位置してそれらに組み合わされる部材であり、外甲側支持部６の前部６ａに対応する外甲側前部突起体１２と、内甲側支持部８の前部８ａに対応する内甲側前部突起体１３と、外甲側支持部６の後部６ｂおよび内甲側支持部８の後部８ｂにそれぞれ対応する後部突起体１４とを有している。この突起体１２，１３，１４の各々は、例えば天然ゴム(ＮＲ)、イソプレンゴム(ＩＲ)、ブチルゴム(ＩＩＲ）、スチレンブタジエンゴム(ＳＢＲ)、二トリルブタジエンゴム(ＮＢＲ)、またはこれら２種以上のゴム材を混ぜ合わせた混合材により構成されている。
【００３９】
突起体１２，１３，１４の各々は、前後方向に延びかつ断面視で指先側から踵部側に向かって上方に向かうように湾曲した板状の基台部１５を有している。図５および図６にも示すように、各基台部１５は、その上部が波形プレート４の下部に沿うように配置された状態で接着剤により波形プレート４の下部に固着されている。
【００４０】
図５にも示すように、外甲側前部突起体１２における基台部１５の下面には、下方に突出している複数（図示例では２つ）の第１突起部２１，２１が前後方向において互いに所定の間隔をあけて並設されている。この外甲側前部突起体１２における足先側の第１突起部２１は、底面視で足先側に向かって先細る略三角形状に形成されている一方、踵部側の第１突起部２１は、底面視で左右方向に延びる略矩形状に形成されている。また、後部突起体１４の基台部１５における足外甲側の下面には、複数（図示例では３つ）の第１突起部２１，２１，…が前後方向において互いに所定の間隔をあけて並設されており、この各第１突起部２１はいずれも底面視で左右方向に延びる略矩形状に形成されている。さらに、各第１突起部２１が各第１貫通孔７に挿通された状態において、各第１突起部２１の下端部が第１貫通孔７からソール部５下面よりも下方に突出するように形成されている。
【００４１】
また、各第１突起部２１は、その前部が断面視で略垂直になるように上下方向に延びており、各第１突起部２１が各第１貫通孔７に挿通された状態で、この前部が各第１貫通孔７における指先側の壁部に対して略隙間なく密着している。
【００４２】
さらに、各第１突起部２１の後部には、各第１突起部２１の下端部に向かって踵部側から指先側に向かうように傾斜した傾斜面２１ａが形成されている。そして、各第１突起部２１が各第１貫通孔７に挿通された状態において、傾斜面２１ａと第１貫通孔７における踵部側の壁部との間に踵側間隙２３が形成されている。この踵側間隙２３により、各第１突起部２１は、各第１貫通孔７に挿通された状態で指先側に向かう方向に比べ踵部側に向かう方向に変形しやすくなるように構成されている。
【００４３】
次に、図２に示すように、内甲側前部突起体１３の基台部１５の下面には、下方に突出している複数（図示例では２つ）の第２突起部２２，２２が設けられている一方、後部突起体１４の基台部１５における足内甲側の下面には、１つの第２突起部２２が設けられている。各第２突起部２２は、底面視で前後方向に延びる略矩形状に形成されている。そして、第２突起部２２は、前後方向において互いに所定の間隔をあけて並設されている。また、各第２突起部２２が各第２貫通孔９に挿通された状態において、各第２突起部２２は、その下端部が第２貫通孔９からソール部５下面よりも下方に突出するように形成されている。
【００４４】
図６に示すように、各第２突起部２２は、足外甲側の側部が断面視で略垂直になるように上下方向に延びており、各第２突起部２２が各第２貫通孔９に挿通された状態でこの側部が各第２貫通孔９における足外甲側の壁部に対して略隙間なく密着している。
【００４５】
また、各第２突起部２２の足内甲側における側部には、各第２突起部２２の下端部に向かって足内甲側から足外甲側に向かうように傾斜した傾斜面２２ａが形成されている。そして、各第２突起部２２が各第２貫通孔９に挿通された状態において、傾斜面２２ａと第２貫通孔９における足内甲側の壁部との間に内甲側間隙２４が形成されている。この内甲側間隙２４により、各第２突起部２２は、各第２貫通孔９に挿通された状態で足外甲側に向かう方向に比べ足内甲側に向かう方向に変形しやすくなるように構成されている。
【００４６】
（実施形態の作用効果）
ここで、本発明の実施形態に係るシューズＳを履いた使用者が例えばバレーボールやハンドボールなどの運動中において足を床に踏み込んで前方にダッシュしようとする場合に、足を床に踏み込んだ際の床からの反力Ｆ１が各第１突起部２１に付与される。これにより、ソール部５の各第１貫通孔７内で各第１突起部２１が踵部側にスムーズに変形するようになる（図５のｆ１参照）。そして、各第１突起部２１には変形に基づく弾性エネルギーが蓄えられ、ダッシュ時の体重移動に伴い上記弾性エネルギーが放出されて前方へのグリップ力が生じるようになる。その結果、前方へのダッシュ力を高めることが可能となる。
【００４７】
また、上記の場合とは逆に、シューズＳを履いた使用者が後方向に移動している状態から急停止するような場合、図５に示すように、床からの反力Ｆ２が各第１突起部２１に付与される。この場合において、各第１突起部２１が各第１貫通孔７内で指先側に変形しにくいことから、ソール部５の各第１貫通孔７内で指先側に向かう各第１突起部２１の変形量が抑制される（図５のｆ２参照）。すなわち、シューズＳを履いた使用者が後方向に急停止しようとする場合には、各第１貫通孔７内で各第１突起部２１がほとんど変形せずに大きなグリップ力が生じないようになっていることから、急停止したときの使用者の感覚と実際の急停止のタイミングとの間にズレが生じるのを抑制することができる。その結果、使用者は次の動作に素早く移ることが可能となる。
【００４８】
このように、ソール部５により足の踵部におけるクッション性および安定性を保ちながら、第１突起部２１により、前後方向における使用者の動作に応じて足の踵部を起点として体重移動をスムーズにすることができる。
【００４９】
他方、例えば反復横跳びなどの動作において、使用者が左足の踵部（特に足内甲側の踵部）を床に踏み込んで右方向（すなわち図６に示す左足の足内甲側の方向）に急に方向転換しようとする場合、図６に示すように、各第２突起部２２には反力Ｆ３が付与される。これにより、各第２突起部２２がソール部５の各第２貫通孔９内で足内甲側に変形するようになる（図６のｆ３参照）。そして、足を床に踏み込んだ際に各第２突起部２２がソール部５の各第２貫通孔９内で足内甲側にスムーズに変形することで、各第２突起部２２には弾性エネルギーが蓄えられる。その後、ダッシュ時の体重移動に伴い各第２突起部２２に蓄えられた弾性エネルギーが放出されてグリップ力が生じる結果、左右いずれかの方向へのダッシュ力を高めることが可能となる。
【００５０】
また、本実施形態では、第１突起部２１の後部に傾斜面２１ａを形成することにより、簡易な構成で第１貫通孔７の踵側の壁部との間に踵側間隙２３を設けることができる。
【００５１】
また、本実施形態では、複数の第１貫通孔７，７，…が前後方向に間隔をあけて並設されており、複数の第１突起部２１，２１，…がそれぞれ第１貫通孔７，７，…に挿通されていることから、足全体の床に対する前方向へのグリップ力をより一層高めることができる。
【００５２】
また、本実施形態では、第１および第２突起部２１，２２の各々が第１および第２貫通孔７，９にそれぞれ挿通された状態で下端部が第１および第２貫通孔７，９からソール部５下面よりも下方に突出していることから、力Ｆ１および力Ｆ３を直接的に第１および第２突起部２１，２２の各々に作用させることが可能となり、その結果、足全体の床に対する前方向および左右方向へのグリップ力をより一層高めることができる。
【００５３】
また、本実施形態では、第１貫通孔７および第１突起部２１は、左右方向に延びるように形成されていることから、力Ｆ１の作用を受けることが可能な領域を大きくすることが可能となり、その結果、足全体の床に対する前方向へのグリップ力をより一層高めることができる。
【００５４】
［その他の実施形態］
上記実施形態のソール構造１では、アウトソール部２、ミッドソール部３、および波形プレート４を備える形態を示したが、この形態に限られない。例えば、ソール部５を人体の足の指先側から踵部後側までの足裏面を支持する足裏支持面を有しかつ踵部に外甲側支持部６および内甲側支持部８を有する構成とし、このソール部５の外甲側支持部６および内甲側支持部８に突起体１１を組み合わせたソール構造１であってもよい。このような形態のソール構造１であれば、アウトソール部２、ミッドソール部３、および波形プレート４は不要である。
【００５５】
上記実施形態のソール構造１では、第１貫通孔７，７，…、第２貫通孔９，９，…、第１突起部２１，２１，…、および第２突起部２２，２２，…をそれぞれ複数備える形態を示したが、この形態に限られない。すなわち、ソール構造１は、第１貫通孔７、第２貫通孔９、第１突起部２１、および第２突起部２２を一つずつ備える形態であってもよい。
【００５６】
以上、本発明についての実施形態を説明したが、本発明は上述の実施形態のみに限定されず、発明の範囲内で種々の変更が可能である。
【産業上の利用可能性】
【００５７】
本発明は、例えばバレーボール、ハンドボール、バスケットボールなどのインドア用のスポーツシューズとして産業上の利用が可能である。
【符号の説明】
【００５８】
Ｓ：シューズ
１：ソール構造
２：アウトソール部
３：ミッドソール部
４：波形プレート
５：ソール部
６：外甲側支持部
７：第１貫通孔
８：内甲側支持部
９：第２貫通孔
１１：突起体
１２：外甲側前部突起体
１３：内甲側前部突起体
１４：後部突起体
１５：基台部
２１：第１突起部
２１ａ：傾斜面
２３：踵側間隙
２２：第２突起部
２２ａ：傾斜面
２４：内甲側間隙
【図１】
2017170065.tif 000003
【図２】
2017170065.tif 000004
【図３】
2017170065.tif 000005
【図４】
2017170065.tif 000006
【図５】
2017170065.tif 000007
【図６】
2017170065.tif 000008